(57)【要約】【課題】通信負荷がなく、目的地及び最寄駅周辺の立寄り拠点を猶予時間を考慮して絞り込み表示する立寄り拠点レコメンドシステム等を提供する。【解決手段】利用者がＰＣ端末５からネットワーク９を介してサーバ３の地図アプリケーション１１にアクセスし、目的地及び訪問予定日時を入力すると、サーバ３は目的地及び最寄駅周辺の立寄り拠点候補を抽出し、ＰＣ端末３に送信する。この立寄り拠点候補の情報をＰＣ端末３から移動体端末７にコピーして利用者が目的地に向かうと、移動体端末７は、コピーされた立寄り拠点候補の情報と現在時刻から、実際に立寄り可能な立寄り拠点候補に絞って表示する。【選択図】図１
2014041538.tif 000002
【特許請求の範囲】
【請求項１】
目的地の訪問予定日時と、立寄り拠点ごとに、最寄駅からの所要時間、及び、目的地までの所要時間とを保持するレコメンドデータ記憶手段と、
前記目的地の訪問予定日時と、現在日時とから、猶予時間を算出する猶予時間算出手段と、
前記猶予時間を用いて、前記立寄り拠点ごとに、滞在時間を算出する滞在時間算出手段と、
前記滞在時間が所定時間以上ある前記立寄り拠点を表示する表示手段と、
を備えることを特徴とする移動体端末。
【請求項２】
前記滞在時間算出手段は、前記立寄り拠点ごとに、前記滞在時間を、
前記猶予時間と、前記最寄駅からの所要時間及び前記目的地までの所要時間の合計所要時間との差として算出する
ことを特徴とする請求項１に記載の移動体端末。
【請求項３】
前記レコメンドデータ記憶手段が保持する立寄り拠点は、
前記目的地周辺の立寄り拠点、及び、前記最寄駅周辺の立寄り拠点
であることを特徴とする請求項１又は請求項２に記載の移動体端末。
【請求項４】
前記レコメンドデータ記憶手段は、
前記立寄り拠点ごとの位置情報、前記目的地の位置情報、及び、前記最寄駅の位置情報を、さらに保持し、
前記表示手段は、
前記滞在時間が所定時間以上ある前記立寄り拠点、前記目的地、及び、前記最寄駅を、地図情報上に表示する
ことを特徴とする請求項１乃至請求項３のいずれか１項に記載の移動体端末。
【請求項５】
レコメンドデータ記憶部が保持する目的地の訪問予定日時と、現在日時とから、猶予時間を算出する猶予時間算出ステップと、
立寄り拠点ごとに、滞在時間を、前記猶予時間と、レコメンドデータ保持部が保持する当該立寄り拠点の最寄駅からの所要時間及び目的地までの所要時間の合計所要時間との差として算出する滞在時間算出ステップと、
前記滞在時間が所定時間以上ある前記立寄り拠点を表示する表示ステップと、
を含むことを特徴とする移動体端末の方法。
【請求項６】
コンピュータに、
レコメンドデータ記憶部が保持する目的地の訪問予定日時と、現在日時とから、猶予時間を算出する猶予時間算出ステップと、
立寄り拠点ごとに、滞在時間を、前記猶予時間と、レコメンドデータ保持部が保持する当該立寄り拠点の最寄駅からの所要時間及び目的地までの所要時間の合計所要時間との差として算出する滞在時間算出ステップと、
前記滞在時間が所定時間以上ある前記立寄り拠点を表示する表示ステップと、
を実行させるための移動体端末プログラム。
【請求項７】
駅及び立寄り拠点の位置情報が記憶されたレコメンドサーバと、当該レコメンドサーバが送信した情報を予め保持する移動体端末と、を含むレコメンドシステムであって、
前記レコメンドサーバは、
目的地の位置情報、及び、前記目的地の訪問予定日時を受信する受信手段と、
前記目的地の位置情報から前記目的地の最寄駅を抽出する最寄駅抽出手段と、
前記目的地の周辺にある第1の立寄り拠点を抽出し、前記最寄駅から前記第１の立寄り拠点までの所要時間と、前記立寄り拠点から前記目的地までの所要時間とを算出する目的地周辺立寄り拠点情報抽出手段と、
前記最寄駅の周辺にある第２の立寄り拠点を抽出し、前記最寄駅から前記第２の立寄り拠点までの所要時間と、前記第２の立寄り拠点から前記目的地までの所要時間とを算出する最寄駅周辺立寄り拠点情報抽出手段と、
前記目的地の情報と、前記第１の立寄り拠点の情報と、前記第２の立寄り拠点の情報とを、少なくとも送信する送信手段と、を備え、
前記移動体端末は、
前記目的地の訪問予定日時と、立寄り拠点ごとに、前記最寄駅からの所要時間、及び、前記目的地までの所要時間とを保持するレコメンドデータ記憶手段と、
前記目的地の訪問予定日時と、現在日時とから、猶予時間を算出する猶予時間算出手段と、
前記猶予時間を用いて、前記立寄り拠点ごとに、滞在時間を算出する滞在時間算出手段と、
前記滞在時間が所定時間以上ある前記立寄り拠点を表示する表示手段と、を備える
ことを特徴とするレコメンドシステム。
【請求項８】
駅及び立寄り拠点の位置情報が記憶されたレコメンドサーバであって、
目的地の位置情報、及び、前記目的地の訪問予定日時を受信する受信手段と、
前記目的地の位置情報から、前記目的地の最寄駅を抽出する最寄駅抽出手段と、
前記目的地の周辺にある第１の立寄り拠点を抽出し、前記最寄駅から前記第１の立寄り拠点までの所要時間と、前記第１の立寄り拠点から前記目的地までの所要時間とを算出する目的地周辺立寄り拠点情報抽出手段と、
前記最寄駅の周辺にある第２の立寄り拠点を抽出し、前記最寄駅から前記第２の立寄り拠点までの所要時間と、前記第２の立寄り拠点から前記目的地までの所要時間とを算出する最寄駅周辺立寄り拠点情報抽出手段と、
前記目的地の情報と、前記第１の立寄り拠点の情報と、前記第２の立寄り拠点の情報とを、少なくとも送信する送信手段と、
を備えることを特徴とするレコメンドサーバ。
【発明の詳細な説明】
【技術分野】
【０００１】
本発明は、立寄り拠点を提案する移動体端末、レコメンドシステム等に関するものである。
【背景技術】
【０００２】
パーソナルコンピュータやインターネットの普及に伴い、路線検索、ナビゲーション等のアプリケーション・ソフトウエアが使用可能になっている。
そのなかで、目的地以外の滞在場所を案内するシステムが提案されている（例えば、特許文献１〜３）。
【０００３】
特許文献１は、ナビゲーションシステムの付加機能として、経由地として時間調整のための滞在場所、施設を設定することなく、目的地周辺の適宜の施設で時間調整をした後に所定の時刻に目的地に到着できる経路を探索し案内するシステムを提案している。
【０００４】
特許文献２は、休憩地点での滞在を考慮して交通状況を推定しながら、出発地から目的地までの最適な経路を探索し、所要時間の最小化を図る経路探索装置を提案している。
【０００５】
特許文献３は、目的地への経路上にある現在地の周辺の立寄り拠点を案内する経路案内システムを提案している。
【先行技術文献】
【特許文献】
【０００６】
【特許文献１】特許第４６９４５３４号公報
【特許文献２】特開２００７−１９２６９７号公報
【特許文献３】特開２０１１−１５３９３４号公報
【発明の概要】
【発明が解決しようとする課題】
【０００７】
しかしながら、特許文献１及び特許文献２のシステムあるいは装置では、移動体端末と経路探索サーバ間の通信を常に保つ必要があり、最寄駅に着いた際にサーバとの通信に時間がかかると案内された施設での調整時間がなくなってしまうという問題がある。短時間の時間調整の場合には、大きな問題となる。
また、特許文献１のシステムでは、時間調整施設の導出に「標準滞在時間」という固定値を用いているため、時間猶予が「標準滞在時間」よりも短い場合、施設が導出されないという問題がある。
【０００８】
一方、特許文献３のシステムは、より適切なタイミングで経路案内を実行するために移動体端末は受信済みの案内対象地点を持ち、利用者の現在位置から案内経路上の進行方向の距離により、付加情報を経路探索サーバに要求するか否かを判定するステップを有するので、通信負荷は軽減されるという利点はあるが、現在位置の周辺の立寄り位置の表示しかできず、最寄駅において、目的地周辺の立寄り位置を表示することができないという問題がある。また、特許文献３のシステムは、案内経路上の立寄り拠点のみを表示するため、経路から離れた立寄り拠点は表示できないという問題がある。
【０００９】
本発明は、前述した問題点に鑑みてなされたもので、通信負荷がなく、目的地及び最寄駅周辺の立寄り拠点を猶予時間を考慮して絞り込み表示する移動体端末、レコメンドシステム等を提供することを目的とする。
【課題を解決するための手段】
【００１０】
前述した目的を達成するために、第１の発明は、目的地の訪問予定日時と、立寄り拠点ごとに、最寄駅からの所要時間、及び、目的地までの所要時間とを保持するレコメンドデータ記憶手段と、前記目的地の訪問予定日時と、現在日時とから、猶予時間を算出する猶予時間算出手段と、前記猶予時間を用いて、前記立寄り拠点ごとに、滞在時間を算出する滞在時間算出手段と、前記滞在時間が所定時間以上ある前記立寄り拠点を表示する表示手段と、を備えることを特徴とする移動体端末である。
【００１１】
前記滞在時間算出手段は、前記立寄り拠点ごとに、前記滞在時間を、前記猶予時間と、前記最寄駅からの所要時間及び前記目的地までの所要時間の合計所要時間との差として算出する。
また、前記レコメンドデータ記憶手段が保持する立寄り拠点は、前記目的地周辺の立寄り拠点、及び、前記最寄駅周辺の立寄り拠点である。
また、前記レコメンドデータ記憶手段は、前記立寄り拠点ごとの位置情報、前記目的地の位置情報、及び、前記最寄駅の位置情報を、さらに保持し、前記表示手段は、前記滞在時間が所定時間以上ある前記立寄り拠点、前記目的地、及び、前記最寄駅を、地図情報上に表示する。
【００１２】
第１の発明によれば、目的地に向かう途上において、移動体端末は通信負荷なく、目的地または最寄駅周辺の立寄り拠点候補のなかから、現在の時刻と訪問予定日時の差である猶予時間内に立寄ることが可能な立寄り拠点を絞り込んで表示することが可能になる。
【００１３】
第２の発明は、レコメンドデータ記憶部が保持する目的地の訪問予定日時と、現在日時とから、猶予時間を算出する猶予時間算出ステップと、立寄り拠点ごとに、滞在時間を、前記猶予時間と、レコメンドデータ保持部が保持する当該立寄り拠点の最寄駅からの所要時間及び目的地までの所要時間の合計所要時間との差として算出する滞在時間算出ステップと、前記滞在時間が所定時間以上ある前記立寄り拠点を表示する表示ステップと、を含むことを特徴とする移動体端末の方法である。
【００１４】
第３の発明は、コンピュータに、レコメンドデータ記憶部が保持する目的地の訪問予定日時と、現在日時とから、猶予時間を算出する猶予時間算出ステップと、立寄り拠点ごとに、滞在時間を、前記猶予時間と、レコメンドデータ保持部が保持する当該立寄り拠点の最寄駅からの所要時間及び目的地までの所要時間の合計所要時間との差として算出する滞在時間算出ステップと、前記滞在時間が所定時間以上ある前記立寄り拠点を表示する表示ステップと、を実行させるための移動体端末プログラムである。
【００１５】
第４の発明は、駅及び立寄り拠点の位置情報が記憶されたレコメンドサーバと、当該レコメンドサーバが送信した情報を予め保持する移動体端末と、を含むレコメンドシステムであって、前記レコメンドサーバは、目的地の位置情報、及び、前記目的地の訪問予定日時を受信する受信手段と、前記目的地の位置情報から前記目的地の最寄駅を抽出する最寄駅抽出手段と、前記目的地の周辺にある第1の立寄り拠点を抽出し、前記最寄駅から前記第１の立寄り拠点までの所要時間と、前記立寄り拠点から前記目的地までの所要時間とを算出する目的地周辺立寄り拠点情報抽出手段と、前記最寄駅の周辺にある第２の立寄り拠点を抽出し、前記最寄駅から前記第２の立寄り拠点までの所要時間と、前記第２の立寄り拠点から前記目的地までの所要時間とを算出する最寄駅周辺立寄り拠点情報抽出手段と、前記目的地の情報と、前記第１の立寄り拠点の情報と、前記第２の立寄り拠点の情報とを、少なくとも送信する送信手段と、を備え、前記移動体端末は、前記目的地の訪問予定日時と、立寄り拠点ごとに、前記最寄駅からの所要時間、及び、前記目的地までの所要時間とを保持するレコメンドデータ記憶手段と、前記目的地の訪問予定日時と、現在日時とから、猶予時間を算出する猶予時間算出手段と、前記猶予時間を用いて、前記立寄り拠点ごとに、滞在時間を算出する滞在時間算出手段と、前記滞在時間が所定時間以上ある前記立寄り拠点を表示する表示手段と、を備えることを特徴とするレコメンドシステムである。
【００１６】
第４の発明によって、レコメンドサーバに目的地の位置情報および訪問予定日時を送信することによって、レコメンドサーバが、目的地の最寄駅を抽出し、さらに、目的地及び最寄駅周辺の立寄り拠点を抽出し、抽出した最寄駅の情報、及び、目的地及び最寄駅周辺の立寄り拠点の情報を送信し、移動体端末に当該情報を保持させることにより、移動体端末は、目的地に向かう途上において、通信負荷なく、目的地または最寄駅周辺の立寄り拠点候補のなかから、現在の時刻と訪問予定日時の差である猶予時間内に立寄ることが可能な立寄り拠点を絞り込んで表示することが可能になる。
すなわち、利用者は、目的地に向かう際に、喫茶店等のように長居はしないが短時間立ち寄れるような立寄り拠点を早く見つけたい場合に、サーバにアクセスすることなく、通信の負荷なく、立寄り拠点を閲覧することが可能である。
【００１７】
第５の発明は、駅及び立寄り拠点の位置情報が記憶されたレコメンドサーバであって、目的地の位置情報、及び、前記目的地の訪問予定日時を受信する受信手段と、前記目的地の位置情報から、前記目的地の最寄駅を抽出する最寄駅抽出手段と、前記目的地の周辺にある第１の立寄り拠点を抽出し、前記最寄駅から前記第１の立寄り拠点までの所要時間と、前記第１の立寄り拠点から前記目的地までの所要時間とを算出する目的地周辺立寄り拠点情報抽出手段と、前記最寄駅の周辺にある第２の立寄り拠点を抽出し、前記最寄駅から前記第２の立寄り拠点までの所要時間と、前記第２の立寄り拠点から前記目的地までの所要時間とを算出する最寄駅周辺立寄り拠点情報抽出手段と、前記目的地の情報と、前記第１の立寄り拠点の情報と、前記第２の立寄り拠点の情報とを、少なくとも送信する送信手段と、を備えることを特徴とするレコメンドサーバである。
【発明の効果】
【００１８】
本発明により、通信負荷がなく、目的地及び最寄駅周辺の立寄り拠点を猶予時間を考慮して絞り込み表示する移動体端末、レコメンドシステム等を提供することが可能になる。
【図面の簡単な説明】
【００１９】
【図１】本発明の実施形態に係る立寄り拠点レコメンドシステム１の構成例を示すブロック図
【図２】サーバ３のハードウエア構成例を示すブロック図
【図３】ＰＣ端末５のハードウエア構成例を示すブロック図
【図４】移動体端末７のハードウエア構成例を示すブロック図
【図５】サーバ３の記憶部３６に格納される駅データベース１７及び立寄り拠点データベース１９の例を示す図
【図６】立寄り拠点レコメンドシステム１の処理の流れを示すフローチャート（１）ＰＣ端末５及びサーバ３
【図７】立寄り拠点レコメンドデータ１３の構成例を示す図
【図８】ＰＣ端末５の表示画面例を示す図
【図９】立寄り拠点レコメンドシステム１の処理の流れを示すフローチャート（２）移動体端末７
【図１０】移動体端末７の立寄り拠点レコメンドデータ２５の構成例を示す図
【図１１】移動体端末７の表示画面例を示す図
【発明を実施するための形態】
【００２０】
以下、添付図面に基づいて、本発明に係る立寄り拠点レコメンドシステム１等の好適な実施形態について詳細に説明する。尚、以下の説明及び添付図面において、略同一の機能構成を有する構成要素については、同一の符号を付することにより重複説明を省略することにする。
【００２１】
図１は、立寄り拠点レコメンドシステム１の概要を示すブロック図である。立寄り拠点レコメンドシステム１は、例えば、サーバ３、ＰＣ端末５がネットワーク９を介して接続され、移動体端末７はＰＣ端末５のデータコピーが可能に接続された構成である。
【００２２】
サーバ３は、本実施形態の立寄り拠点探索プログラムを含む地図アプリケーションを有するＷｅｂサーバであり、利用者のＰＣ端末５がＷｅｂクライアントとなり、ネットワーク９を介してＰＣ端末５に地図アプリケーションを提供する。
ＰＣ端末５は、ネットワーク９を介してサーバ３にアクセス可能である。
【００２３】
移動体端末７は、利用者が所有する例えば携帯電話等の携帯端末であり、ＰＣ端末５との間で、例えば、Ｗｉｆｉ通信等の通信機能によりデータの送受が可能である。移動体端末７とＰＣ端末５間のデータ送受は、通信に限ることはなく、例えば、ＵＳＢケーブルを接続することにより行ってもよいし、マイクロＳＤカード等のメモリカードを使用してもよい。
【００２４】
本実施形態の立寄り拠点レコメンドシステム１では、利用者がＰＣ端末５によりネットワーク９を介してサーバ３の地図アプリケーションにアクセスし、地図情報をダウンロードしたうえで目的地及び訪問予定日時を入力することにより、サーバ３は立寄り拠点を抽出し、その情報をＰＣ端末５に送り、ＰＣ端末５は、立寄り拠点の情報を移動体端末７にコピーする。利用者は、移動体端末７を持って目的地に向かうが、移動体端末７は、その際、訪問予定日時と現在時刻から立寄り可能な立寄り拠点を絞って利用者に提示することが可能である。
【００２５】
図２は、サーバ３のハードウエア構成例を示す図である。サーバ３は、制御部３１、入力部３２、表示部３３、メディア入出力部３４、周辺機器Ｉ／Ｆ部３５、記憶部３６、通信制御部３７等がバス３８を介して接続された構成である。
【００２６】
制御部３１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、ＲＯＭ、記憶部３６等に格納されるプログラムをＲＡＭ上のワークメモリ領域に呼び出して実行し、バス３８を介して接続された各装置を駆動制御し、コンピュータが行う処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部３６、ＲＯＭ、記憶媒体等からロードしたプログラム、データ等を一時的に保持するとともに、制御部３１が各種処理を行うために使用するワークエリアを備える。
【００２７】
記憶部３６は、ＨＤＤ（ハードディスクドライブ）であり、制御部３１が実行するプログラム、プログラム実行に必要なデータ、ＯＳ（Ｏｐｅｒａｔｉｎｇ  Ｓｙｓｔｅｍ）等が格納される。プログラムに関しては、ＯＳに相当する制御プログラムや、アプリケーション・プログラム、ファイル等が格納されている。
これらの各プログラムコードは、制御部３１により必要に応じて読み出されてＲＡＭに移され、ＣＰＵにより各種の手段として実行される。
【００２８】
記憶部３６には、本発明の本実施形態に係る立寄り拠点を抽出可能な地図アプリケーション・プログラム１１や各種のデータが格納されており、必要に応じて制御部３１に読み出されて実行され、抽出された立寄り拠点等の情報が立寄り拠点レコメンドデータ１３として格納される。
また、記憶部３６には、地図データベース１５、駅の位置等のデータベース１７、立寄り拠点の位置情報から成る立寄り拠点データベース１９等が格納される。
【００２９】
入力部３２は、データの入力を行い、例えば、キーボード、マウス等のポインティングデバイス、テンキー等の入力装置を有する。入力部３２を介して、コンピュータに対して、操作指示、動作指示、データ入力等を行うことができる。
表示部３３は、ＣＲＴ（Ｃａｔｈｏｄｅ  Ｒａｙ  Ｔｕｂｅ）モニタ、液晶パネル等のディスプレイ装置、ディスプレイ装置と連携してビデオ機能を実現するための論理回路等（ビデオアダプタ等）を有する。
【００３０】
メディア入出力部３４は、記録媒体のデータの入出力を行うドライブ装置であり、例えば、フロッピー（登録商標）ディスクドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置を有する。
周辺機器Ｉ／Ｆ部３５は、周辺機器を接続するためのＵＳＢ（Ｕｎｉｖｅｒｓａｌ  Ｓｅｒｉａｌ  Ｂｕｓ）ポート等である。
【００３１】
通信制御部３７は、通信制御装置、通信ポート等を有し、ネットワーク９を介した通信を媒介する通信インタフェースであり、他のコンピュータ間との通信制御を行う。
バス３８は、各装置間の制御信号、データ信号等の授受を媒介する経路である。
【００３２】
図３は、ＰＣ端末５のハードウエア構成例を示す図である。端末５は、例えば、パーソナルコンピュータ等のコンピュータであり、サーバ３と同様に、制御部５１、記憶部５２、メディア入出力部５３、通信制御部５４、入力部５５、表示部５６、周辺機器Ｉ／Ｆ部５７等がバス５８を介して接続された構成である。
【００３３】
本実施形態の立寄り拠点レコメンドシステム１においては、ＰＣ端末５は、通信制御部５４、ネットワーク９を介してサーバ３にアクセス可能に接続されており、ＰＣ端末５がサーバ３の地図アプリケーション・プログラム１１にアクセスすることにより地図情報等をダウンロードすることが可能になり、ＰＣ端末５の表示部５６に作成された地図情報等が表示され、目的地等を入力することが可能になる。
【００３４】
図４は、移動体端末７のハードウエア構成例を示す図である。移動体端末７は、例えば、携帯電話や携帯端末等であり、制御部７１、記憶部７２、メディア入出力部７３、通信制御部７４、入力部７５、表示部７６等がバス７８を介して接続された構成である。
【００３５】
記憶部７２には、本発明の実施形態に係る移動体端末用地図アプリケーション２１、地図データベース２３、立寄り拠点レコメンドデータ２５等が格納される。
移動体端末用地図アプリケーション２１は、移動体端末７の制御部７１により起動され、ＰＣ端末５からコピーされた立寄り拠点レコメンドデータ１３を立寄り拠点レコメンドデータ２５として記憶部７２に格納し、立寄り拠点レコメンドデータ２５の立寄り拠点候補の中から、立寄り可能な立寄り拠点を絞り込んで表示部７６に表示するプログラムである。
地図データベース２３は、移動体端末７の記憶部７２に予め格納された地図情報である。
【００３６】
制御部７１は、記憶部７２に格納されている本発明の実施形態にかかる移動体端末用地図アプリケーション２１を実行し、立寄り拠点レコメンドデータ２５の立寄り拠点候補の中から、立寄り可能な立寄り拠点を絞り込んで表示部７６に表示する。
【００３７】
図５は、サーバ３の記憶部３６に格納されている駅データベース１７及び立寄り拠点データベース１９の構成例を示す図である。
【００３８】
図５（ａ）は、駅データベース１７のデータ構成例である。
図５（ａ）に示すように、駅データベース１７は、駅番号１７０、駅名１７１及び位置情報である緯度・経度１７３等から成る。
例えば、駅名１７１が「○○線○駅」の緯度・経度１７３は「東経ｘａ１°、北緯ｙａ１°」等のように格納され、緯度・経度１７３による駅の位置情報と目的地の位置情報から、道のりが最も短い駅を最寄駅として抽出することができる。
【００３９】
図５（ｂ）は、立寄り拠点データベース１９のデータ構成例である。
図５（ｂ）に示すように、立寄り拠点データベース１９は、拠点番号１９０、立寄り拠点名１９１及び位置情報である緯度・経度１９３等から成る。
緯度・経度１９３の情報により、地図上に立寄り拠点の場所をプロットし、目的地や最寄駅との間の道のりを求めることができる。
【００４０】
図６は、立寄り拠点レコメンドシステム１の処理の流れを示すフローチャートである。図６のフローチャートは、ＰＣ端末５とサーバ３の処理の流れを示している。
【００４１】
まず、ＰＣ端末５の制御部５１は、サーバ３の地図アプリケーション・プログラム１１にアクセスする（ステップ１０１）。
サーバ３の制御部３１は、地図データベース１５の地図情報をＰＣ端末５に送る（ステップ１０２）。
ＰＣ端末５は、地図情報を受け取り、表示部５６に表示し、利用者に目的地の場所及び訪問予定日時を入力させる（ステップ１０３）。
【００４２】
図８は、ＰＣ端末５の表示画面例である。
図８（ａ）は、目的地設定画面例３１０を示す図である。
図８（ａ）に示すように、画面にはサーバ３からダウンロードされた地図情報が表示されおり、目的地３１１にカーソルを合わせてクリックすることにより、目的地３１１が設定できる。
また、訪問予定日時は訪問日時設定３１３により設定できる。
目的地３１１及び訪問日時設定３１３が設定され、決定ボタン３１５が押下されると、目的地３１１の位置情報（緯度・経度）及び訪問予定日時３１３がサーバ３に送られる（ステップ１０４）。
【００４３】
サーバ３の制御部３１は、次に、目的地の場所３１１及び訪問予定日時３１３をユーザ設定データ１３０として立寄り拠点レコメンドデータ１３に格納し、駅データベース１７を参照して、目的地の最寄駅を探索し、最寄駅から目的地までの所要時間を算出して最寄駅名及び場所とともに最寄駅データ１３３として立寄り拠点レコメンドデータ１３に格納する（ステップ１０５）。
最寄駅から目的地までの所要時間は、最寄駅から目的地までの道のりと歩速から求めることができるが、一般的な地図アプリケーションに装備されているプログラムを使用すればよい。
【００４４】
図７は、立寄り拠点レコメンドデータ１３の構成例を示す図である。
図７（ａ）は、ユーザ設定データ１３０のデータ構成例である。ＰＣ端末５から利用者により設定された駅目的地の位置情報である緯度・経度１３１と、訪問予定日時１３２等により構成される。
【００４５】
また、図７（ｂ）は、最寄駅データ１３３のデータ構成例である。駅データベース１７の検索により得られた目的地に最も近い最寄駅の情報として、駅番号１３４、最寄駅名１３５、最寄駅の緯度経度１３６と、最寄駅から目的地までの所要時間１３７等が格納される。
【００４６】
次に、サーバ３の制御部３１は、目的地周辺の立寄り拠点を立寄り拠点データベース１９を参照して抽出し、立寄り拠点レコメンドデータ１３に格納する（ステップ１０６）。
この際、目的地から所定の距離以内、すなわち、目的地を中心とした所定の半径の円内にある立寄り拠点を抽出する。所定の半径は、図７（ｃ）に示すように、距離設定データ１３８として記憶部３６の立寄り拠点レコメンドデータ１３に予め格納しておけばよい。図７（ｃ）に示した基準点は、目的地あるいは最寄駅である。ここでは、例えば、２ｋｍと設定している。
距離設定データ１３８は、予めサーバ３が設定して記憶部３６に格納しておいてもよいし、利用者がＰＣ端末５から設定するようにしてもよい。
【００４７】
図７（ｄ）は、ステップ１０６により抽出された目的地周辺の立寄り拠点データ１４０の構成例を示す図である。
目的地周辺の立寄り拠点データ１４０は、例えば、目的地周辺の立寄り拠点名１４１、立寄り拠点の緯度・経度１４２、最寄駅からの所要時間１４３、目的地までの所要時間１４４等で構成される。
【００４８】
図７（ｄ）の例では、目的地周辺の立寄り拠点として、目的地を中心とした半径２ｋｍの円内にあるｄ箇所の立寄り拠点が抽出されている。
最寄駅からの所要時間１４３は、最寄駅から立寄り拠点までの所要時間、目的地までの所要時間１４４は、立寄り拠点から目的地までの所要時間である。
【００４９】
次に、サーバ３の制御部３１は、最寄駅周辺の立寄り拠点を立寄り拠点データベース１９を参照して抽出し、立寄り拠点レコメンドデータ１３に格納する（ステップ１０７）。この際、図７（ｃ）に示した距離設定データ１３８を半径とする円内にある立寄り拠点を抽出する。
【００５０】
図７（ｅ）は、ステップ１０７により抽出された最寄駅周辺の立寄り拠点データ１５０の構成例を示す図である。
最寄駅周辺の立寄り拠点データ１５０は、例えば、最寄駅周辺の立寄り拠点名１５１、立寄り拠点の緯度・経度１５２、最寄駅からの所要時間１５３、目的地までの所要時間１５４等で構成される。最寄駅からの所要時間１５３は、最寄駅から立寄り拠点までの所要時間、目的地までの所要時間１５４は、立寄り拠点から目的地までの所要時間である。
図７（ｅ）の例では、最寄駅周辺の立寄り拠点として、最寄駅を中心とした半径２ｋｍの円内にあるｓ箇所の立寄り拠点が抽出されている。
【００５１】
次に、サーバ３の制御部３１は、ステップ１０６、１０７で抽出した目的地及び最寄駅周辺の立寄り拠点等の立寄り拠点レコメンドデータ１３をＰＣ端末５に送信する（ステップ１０８）。
送信されるデータは、立寄り拠点レコメンドデータ１３のユーザ設定データ１３０、最寄駅データ１３３、目的地周辺の立寄り拠点データ１４０、最寄駅周辺の立寄り拠点データ１５０等である。図７の立寄り拠点レコメンドデータ１３の場合、ｄ＋ｓ箇所の立寄り拠点のデータがＰＣ端末５に送信される。
【００５２】
ＰＣ端末５の制御部５１は、サーバ３より送信された立寄り拠点レコメンドデータ１３を受信し、記憶部５２に一時保存するとともに、表示部５６に立寄り拠点の情報を表示するとともに、立寄り拠点レコメンドデータ１３を移動体端末７の記憶部７２にコピーする（ステップ１０９）。
【００５３】
図８（ｂ）は、ＰＣ端末５の表示部５６に表示される立寄り拠点表示画面例３２０を示す図である。
図８（ｂ）に示すように、表示部５６には目的地３１１及び最寄駅３３１、立寄り拠点候補３２１の位置が含まれる地図が表示され、当該地図上に、目的地３１１及び最寄駅３３１、立寄り拠点候補３２１がプロットされる。同図では、目的地３１１を「◎」、最寄駅３３１を「△」、立寄り拠点候補３２１を「■」の記号で表示しているが、表示方法はこれに限ることはない。
【００５４】
ステップ１０９では、ＰＣ端末５の制御部５１は、表示部５６への立寄り拠点表示画面３２０の表示後に、立寄り拠点レコメンドデータ１３を移動体端末７の記憶部７２にコピーする。
【００５５】
ＰＣ端末５と移動体端末７が       Ｗｉｆｉ等の無線通信やＵＳＢケーブル等で接続されている場合には、図８（ｂ）の立寄り拠点表示画面例３２０の送信ボタン３２３を押下することにより、ＰＣ端末５の制御部５１が、立寄り拠点レコメンドデータ１３を移動体端末７に送信するようにすることができる。
【００５６】
また、移動体端末７が、例えばマイクロＳＤカード等のメモリカードを使用可能な場合には、ＰＣ端末５のメディア入出力部５３に当該メモリカードを挿入して立寄り拠点レコメンドデータ１３をコピーし、当該メモリカードを移動体端末７のメディア入出力部７３に挿入して、立寄り拠点レコメンドデータ１３を移動体端末７に取り込み、記憶部７２にコピーするようにしてもよい。
【００５７】
以上の処理により、利用者が、例えば自宅のＰＣ端末５等からサーバ３の地図アプリケーション・プログラム１１にアクセスすることにより、サーバ３により抽出された立寄り拠点候補３２１等のデータを含む立寄り拠点レコメンドデータ１３がＰＣ端末５に送信され、ＰＣ端末５の表示部５６に表示されたうえ、立寄り拠点レコメンドデータ１３が移動体端末７の記憶部７２に格納される。
利用者は、立寄り拠点レコメンドデータ１３が記憶部７２に格納された移動体端末７を所持して目的地に向かい、その途上でサーバ３との通信を行うことなく立寄り拠点候補３２１を得ることが可能になる。
【００５８】
図９は、移動体端末７の処理の流れを示すフローチャート、図１０は、移動体端末７の記憶部７２のデータ構成例である。
【００５９】
図１０に示すように、移動体端末７の記憶部７２には、ＰＣ端末５からコピーされた立寄り拠点レコメンドデータ２５が格納されている。
立寄り拠点レコメンドデータ２５は、例えば、図１０（ａ）に示すユーザ設定データ１３０、図１０（ｂ）に示す最寄駅データ１３３、図１０（ｃ）に示す目的地周辺の立寄り拠点データ、図１０（ｄ）に示す最寄駅周辺の立寄り拠点データ１５０、及び、猶予時間２７０等で構成される。
【００６０】
図１０（ａ）、（ｂ）に示したユーザ設定データ１３０及び最寄駅データ１３３の構成は、図７（ａ）、（ｂ）に示したサーバ３の記憶部３６に格納されているユーザ設定データ１３０及び最寄駅データ１３３と同様である。
図１０（ｃ）、（ｄ）に示した目的地周辺の立寄り拠点データ１４０及び最寄駅周辺の立寄り拠点データ１５０は、図７（ｄ）及び図７（ｅ）に示した目的地周辺の立寄り拠点データ１４０及び最寄駅周辺の立寄り拠点データ１５０の構成に加えて滞在できる時間２５１、２６１の項目が付加されたものである。滞在できる時間２５１、２６１は、ＰＣ端末５から立寄り拠点レコメンドデータ１３をコピーした時点では空欄である。
【００６１】
利用者が目的地への途上で立寄り拠点候補を所望した際、移動体端末７の制御部７１により、移動体端末用地図アプリケーション２１を起動する（ステップ２０１）。
【００６２】
次に、移動体端末７の制御部７１は、立寄り拠点レコメンドデータ２５の訪問予定日時１３２と、移動体端末７の時計機能による現在の日時とを比較し、訪問予定日時１３２までの時間、すなわち猶予時間α２７０を算出し、立寄り拠点レコメンドデータ２５に一時保存する（ステップ２０２、図１０（ｅ））。
図１０（ｅ）の例では、猶予時間α２７０は２９分である。
【００６３】
次に、移動体端末７の制御部７１は、立寄り拠点レコメンドデータ２５の最寄駅データ１３３から最寄駅から目的地までの所要時間１３７を取り出し、猶予時間α２７０と比較する（ステップ２０３）。
猶予時間α２７０が最寄駅から目的地までの所要時間１３７以下である場合（ステップ２０３のＮｏ）は、制御部７１は、警告ダイアログを移動体端末７の表示部７６に表示し、処理を終了する。
【００６４】
図１１は、移動体端末７の表示部７６の画面例を示す図である。
図１１（ａ）は、警告ダイアログ表示画面例４１０を示す図である。
図１１（ａ）に示すように、警告ダイアログ表示画面４１０には、訪問予定日時１３２までに目的地に着けない可能性があり、急ぐように促す旨、表示される。
図１１（ａ）の例では、利用者によるＯＫボタン４１１の押下が検出されると、利用者の了解を得たとして、制御部７１は、立寄り拠点候補を表示せずに処理を終了する。
【００６５】
一方、ステップ２０３において、  猶予時間α２７０が最寄駅から目的地までの所要時間１３７以上ある場合には（ステップ２０３のＹｅｓ）、制御部７１は、目的地周辺の立寄り拠点データ１４０を参照し、最寄駅からの所要時間１４３と目的地までの所要時間１４４の合計所要時間βを算出し、猶予時間α−合計所要時間βを滞在できる時間２５１として目的地周辺の立寄り拠点データ１４０として格納する（ステップ２０４）。
【００６６】
図１０（ｃ）の目的地周辺の立寄り拠点データ１４０の例では、目的地周辺の立寄り拠点である「○○書店」の合計所要時間βは１５分となり、猶予時間α２７０が２９分なので滞在できる時間２５１は１４分となる。また、「○自販機コーナー」の合計所要時間βは１８分であり、滞在できる時間２５１は１１分である。
【００６７】
次に、移動体端末７の制御部７１は、最寄駅周辺の立寄り候補についても同様の処理を行う（ステップ２０５）。すなわち、最寄駅周辺の立寄り拠点データ１５０を参照し、最寄駅からの所要時間１５３と目的地までの所要時間１５４の合計所要時間βを算出し、猶予時間α−合計所要時間βを滞在できる時間２６１として最寄駅周辺の立寄り拠点データ１５０として格納する
【００６８】
図１０（ｄ）の最寄駅周辺の立寄り拠点データ１５０の例では、最寄駅周辺の立寄り拠点である「■■ストア」の合計所要時間βは１７分となり、猶予時間α２７０が２９分なので滞在できる時間２６１は１２分、「ショップ××」の合計所要時間βは２５分であり、滞在できる時間２６１は４分である。
【００６９】
最後に、移動体端末７の制御部７１は、目的地及び最寄駅周辺の立寄り拠点について、滞在できる時間２５１、２６１が所定時間以上ある立寄り拠点を地図上にプロットし、立寄り拠点候補のデータを表示し、処理を終了する（ステップ２０６）。
この所定時間は０分にしてもよいし、予め、所定の時間を定めておいてもよい。
【００７０】
例えば、図１０（ｃ）、（ｄ）の目的地周辺の立寄り拠点データ１４０及び最寄駅周辺の立寄り拠点データ１５０の場合、所定時間を０分にすれば、滞在できる時間２５１、２６１が０分以上（すなわち、合計所要時間が２９分以下）の立寄り拠点に絞り込まれて地図上にプロットされる。
また、所定時間を５分にすると、滞在できる時間２５１、２６１が５分以上（すなわち、合計所要時間が２４分以下）の立寄り拠点に絞り込まれて地図上にプロットされる。この場合、図１０（ｄ）に示されている「ショップ××」は滞在できる時間が４分なので除外されることになる。
【００７１】
図１１（ｂ）は、移動体端末７の表示部７６に表示される立寄り拠点候補表示画面例４２０を示す図である。
図１１（ｂ）に示すように、表示部７６には、地図上に目的地４２１及び最寄駅４３１、立寄り拠点候補４２３−１〜３が表示され、各立寄り拠点候補４２３−１〜３の情報（立寄り拠点名、所要時間、滞在できる時間）が表示される。
【００７２】
以上、本発明によれば、自宅等のＰＣ端末５からサーバ３にアクセスすることにより、目的地及び最寄駅周辺の立寄り拠点をＰＣ端末５がサーバ３から得て、これを移動体端末７にコピーして所持することにより、目的地への途上で、移動体端末７がサーバ３へアクセスすることなく、現在時刻と訪問予定日時の差と所要時間から、立寄り可能な立寄り拠点に絞って表示することが可能になる。
すなわち、本発明によれば、通信負荷なく、現在時刻に見合った立寄り拠点のみを表示することが可能である。
また、立寄り拠点で滞在できる時間も表示されるので、利用者の立寄り拠点の選択に有効である。
【００７３】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００７４】
１………立寄り拠点レコメンドシステム
３………サーバ
５………ＰＣ端末
７………移動体端末
１１………地図アプリケーション・プログラム
１３、２５………立寄り拠点レコメンドデータ
１５、２３………地図データベース
１７………駅データベース
１９………立寄り拠点データベース
２１………移動体端末用地図アプリケーション
３１、５１、７１………制御部
３２、５５、７５………入力部
３３、５６、７６………表示部
３４、５３、７３………メディア入出力部
５５、５７、７７………周辺機器Ｉ／Ｆ部
３６、５２、７２………記憶部
３７、５４、７４………通信制御部
３７………スケジュール・プログラム
４０………スケジュールデータ
５０………利用者情報データベース
６０………施設データベース
１４０………目的地周辺の立寄り拠点データ
１５０………最寄駅周辺の立寄り拠点データ
【図１】
2014041538.tif 000003
【図２】
2014041538.tif 000004
【図３】
2014041538.tif 000005
【図４】
2014041538.tif 000006
【図５】
2014041538.tif 000007
【図６】
2014041538.tif 000008
【図７】
2014041538.tif 000009
【図８】
2014041538.tif 000010
【図９】
2014041538.tif 000011
【図１０】
2014041538.tif 000012
【図１１】
2014041538.tif 000013